(57)【要約】【課題】電子機器およびアクセサリーの小型化を図る上で有利なアクセサリーシュー装置および電子機器並びにアクセサリーを提供する。【解決手段】空間部２２の底部を形成する電子機器側コネクタ１０の箇所には、ガイド溝１８の幅方向において互いに向かい合い前記装着方向に延在する一対のコネクタ側ガイド面２４が設けられている。この一対のコネクタ側ガイド面２４は、ガイド溝１８の延在方向と直交する方向、すなわちガイド溝１８の幅方向におけるアクセサリー側コネクタ４０の位置決めを行うものである。電子機器側コネクタ１０の接片１６は、空間部２２の底部で一対のコネクタ側ガイド面２４の間の内側部材１２の箇所に複数設けられている。【選択図】        図２
2005315989.tif 000002
【特許請求の範囲】
【請求項１】
電子機器に設けられ電源用または信号授受用の接片を有する電子機器側コネクタと、前記電子機器に装着されるアクセサリーに設けられ電源用または信号授受用の接片を有するアクセサリー側コネクタとを備えるアクセサリーシュー装置であって、
前記電子機器側コネクタは、前記アクセサリー側コネクタの挿入部が挿入され、かつ、前記挿入方向と直交する方向に移動される空間部を備え、
前記空間部の底部を形成する前記電子機器側コネクタの箇所には、前記移動される方向と直交する方向において互いに向かい合い前記移動される方向に延在する一対のコネクタ側ガイド面が設けられ、
前記電子機器側コネクタの接片は、前記空間部の底部で前記一対のコネクタ側ガイドの間の箇所に、前記移動される方向と直交する方向に複数並べられて設けられ、
前記挿入部の先部の両側には、前記一対のコネクタ側ガイド面に摺動可能な一対のアクセサリー側ガイド面が設けられ、
前記アクセサリー側コネクタの接片は、前記挿入部の先部で前記一対のアクセサリー側ガイド面の間の箇所に、前記移動される方向と直交する方向に複数並べられて設けられている、
ことを特徴とするアクセサリーシュー装置。
【請求項２】
前記挿入部の先部には、前記移動される方向と直交する方向における両側部に互いに対向して一対のガイド壁が前記挿入される方向に突出形成され、前記一対のアクセサリー側ガイド面は前記一対のガイド壁の外面により構成され、前記挿入部の先部で前記一対のガイド壁の基部の間の箇所に、前記複数のアクセサリー側コネクタの接片が前記移動される方向と直交する方向に並べられて設けられていることを特徴とする請求項１記載のアクセサリーシュー装置。
【請求項３】
前記空間部の底部を形成する前記電子機器側コネクタの箇所で前記一対のコネクタ側ガイド面の間の箇所に、前記複数の電子機器側コネクタの接片を覆うカバーが前記移動される方向に移動可能に設けられ、前記カバーを、前記複数の電子機器側コネクタの接片を覆う閉塞位置に付勢するスプリングが設けられ、前記カバーは、前記挿入部の前記移動される方向への移動時に前記挿入部の箇所に当接して前記挿入部により前記複数の電子機器側コネクタの接片を開放する開放位置に移動されることを特徴とする請求項１記載のアクセサリーシュー装置。
【請求項４】
前記空間部の底部を形成する前記電子機器側コネクタの箇所で前記一対のコネクタ側ガイド面の間の箇所には底面と、前記移動される方向における底面の端部から次第に起立する傾斜面と、前記移動される方向における前記傾斜面の端部から前記底面と平行して延在する接片取り付け面とが設けられ、前記複数のアクセサリー側コネクタの接片は前記接片取り付け面に設けられていることを特徴とする請求項１記載のアクセサリーシュー装置。
【請求項５】
前記空間部の底部を形成する前記電子機器側コネクタの箇所で前記一対のコネクタ側ガイド面の間の箇所には底面と、前記移動される方向における底面の端部から次第に起立する傾斜面と、前記移動される方向における前記傾斜面の端部から前記底面と平行して延在する平坦な接片取り付け面とが設けられ、前記複数のアクセサリー側コネクタの接片は、前記傾斜面と前記接片取り付け面との境の部分から前記移動される方向に間隔をおいた前記取り付け面の箇所に設けられていることを特徴とする請求項１記載のアクセサリーシュー装置。
【請求項６】
電源用または信号授受用の接片を有する電子機器側コネクタを備えた電子機器であって、
前記電子機器側コネクタは、前記電子機器に装着されるアクセサリーに設けられ電源用または信号授受用の接片を有するアクセサリー側コネクタが挿入され、かつ、前記挿入方向と直交する方向に移動される空間部を備え、
前記空間部の底部を形成する前記電子機器側コネクタの箇所には、前記移動される方向と直交する方向において互いに向かい合い前記移動される方向に延在する一対のコネクタ側ガイド面が設けられ、
前記電子機器側コネクタの接片は、前記空間部の底部で前記一対のコネクタ側ガイドの間の箇所に、前記移動される方向と直交する方向に複数並べられて設けられ、
ことを特徴とする電子機器。
【請求項７】
前記空間部の底部を形成する前記電子機器側コネクタの箇所で前記一対のコネクタ側ガイド面の間の箇所に、前記複数の電子機器側コネクタの接片を覆うカバーが前記移動される方向に移動可能に設けられ、前記カバーを、前記複数の電子機器側コネクタの接片を覆う閉塞位置に付勢するスプリングが設けられ、前記カバーは、前記アクセサリー側コネクタの前記移動される方向への移動時に前記アクセサリー側コネクタにより前記複数の電子機器側コネクタの接片を開放する開放位置に移動されることを特徴とする請求項６記載の電子機器。
【請求項８】
前記空間部の底部を形成する前記電子機器側コネクタの箇所で前記一対のコネクタ側ガイド面の間の箇所には底面と、前記移動される方向における底面の端部から次第に起立する傾斜面と、前記移動される方向における前記傾斜面の端部から前記底面と平行して延在する接片取り付け面とが設けられ、前記複数の電子機器側コネクタの接片は前記接片取り付け面に設けられていることを特徴とする請求項６記載の電子機器。
【請求項９】
前記空間部の底部を形成する前記電子機器側コネクタの箇所で前記一対のコネクタ側ガイド面の間の箇所には底面と、前記移動される方向における底面の端部から次第に起立する傾斜面と、前記移動される方向における前記傾斜面の端部から前記底面と平行して延在する平坦な接片取り付け面とが設けられ、前記複数の電子機器側コネクタの接片は、前記傾斜面と前記接片取り付け面との境の部分から前記移動される方向に間隔をおいた前記取り付け面の箇所に設けられていることを特徴とする請求項６記載の電子機器。
【請求項１０】
電源用または信号授受用の接片を有するアクセサリー側コネクタを備え電子機器の電子機器側コネクタに結合されるアクセサリーであって、
前記アクセサリー側コネクタは、前記電子機器側コネクタの空間部に挿入され、かつ、前記挿入方向と直交する方向に移動される挿入部を備え、
前記挿入部の先部の両側には、前記移動される方向に延在する一対のアクセサリー側ガイド面が設けられ、
前記アクセサリー側コネクタの接片は、前記挿入部の先部で前記一対のアクセサリー側ガイド面の間の箇所に、前記移動される方向と直交する方向に複数並べられて設けられている、
ことを特徴とするアクセサリー。
【請求項１１】
前記挿入部の先部には、前記移動される方向と直交する方向における両側部に互いに対向して一対のガイド壁が前記挿入される方向に突出形成され、前記一対のアクセサリー側ガイド面は前記一対のガイド壁の外面により構成され、前記挿入部の先部で前記一対のガイド壁の基部の間の箇所に、前記複数のアクセサリー側コネクタの接片が前記移動される方向と直交する方向に並べられて設けられていることを特徴とする請求項１０記載のアクセサリー。
【発明の詳細な説明】
【技術分野】
【０００１】
本発明はアクセサリーシュー装置および電子機器並びにアクセサリーに関する。
【背景技術】
【０００２】
デジタルカメラやビデオカメラなどの撮像装置（以下電子機器という）には、多くの場合、補助光を発光するためのフラッシュライトや音声を収録するためのマイクなどのアクセサリーを装着するための電子機器側コネクタが設けられている。
このような従来の電子機器の電子機器側コネクタは、平面状の装着面と、該装着面に接続された保持部と、装着面に設けられた電源用または信号授受用の接片とを備えている。また、電子機器に取り付けられるアクセサリーには、電子機器側コネクタに装着されるアクセサリー側コネクタが設けられ、該アクセサリー側コネクタは電子機器側コネクタの装着面に当て付けられる取り付け部と、該取り付け部に設けられた電源用または信号授受用の接片とを備えている。そして、アクセサリー側コネクタの電子機器側コネクタへの装着は、アクセサリー側コネクタの取り付け部を電子機器側コネクタの装着面に当てつけた状態で該装着面に沿って直線的にスライドさせ取り付け部を電子機器側コネクタの保持部に保持させることでなされている。そして、取り付け部が保持部に保持された状態でアクセサリーの各接片が電子機器側コネクタの各接片に電気的に接続されるように構成されている（例えば特許文献１、特許文献２参照）。なお、これら電子機器側コネクタとアクセサリー側コネクタとを合わせてアクセサリーシュー装置と称している。
【特許文献１】特開平９−１６３２００号公報
【特許文献２】特開平９−１６６８１６号公報
【発明の開示】
【発明が解決しようとする課題】
【０００３】
一方、アクセサリーを電子機器に装着する際に、電子機器側コネクタに設けられた複数の接片にアクセサリー側コネクタに設けられた複数の接片を確実に接続させる必要があり、従来では、組み付け誤差などを考慮し各接片を幅広に形成すると共に、複数の接片間に十分なスペースを確保しており、電子機器およびアクセサリーの小型化を図る上で限界があった。
本発明はこのような事情に鑑みなされたものであり、その目的は、電子機器側コネクタあるいはアクセサリー側コネクタの占有スペースの小型化を図り、ひいては、電子機器およびアクセサリーの小型化を図る上で有利なアクセサリーシュー装置および電子機器並びにアクセサリーを提供することにある。
【課題を解決するための手段】
【０００４】
上述の目的を達成するため、本発明は、電子機器に設けられ電源用または信号授受用の接片を有する電子機器側コネクタと、前記電子機器に装着されるアクセサリーに設けられ電源用または信号授受用の接片を有するアクセサリー側コネクタとを備えるアクセサリーシュー装置であって、前記電子機器側コネクタは、前記アクセサリー側コネクタの挿入部が挿入され、かつ、前記挿入方向と直交する方向に移動される空間部を備え、前記空間部の底部を形成する前記電子機器側コネクタの箇所には、前記移動される方向と直交する方向において互いに向かい合い前記移動される方向に延在する一対のコネクタ側ガイド面が設けられ、前記電子機器側コネクタの接片は、前記空間部の底部で前記一対のコネクタ側ガイドの間の箇所に、前記移動される方向と直交する方向に複数並べられて設けられ、前記挿入部の先部の両側には、前記一対のコネクタ側ガイド面に摺動可能な一対のアクセサリー側ガイド面が設けられ、前記アクセサリー側コネクタの接片は、前記挿入部の先部で前記一対のアクセサリー側ガイド面の間の箇所に、前記移動される方向と直交する方向に複数並べられて設けられていることを特徴とする。
また、本発明は、電源用または信号授受用の接片を有する電子機器側コネクタを備えた電子機器であって、前記電子機器側コネクタは、前記電子機器に装着されるアクセサリーに設けられ電源用または信号授受用の接片を有するアクセサリー側コネクタが挿入され、かつ、前記挿入方向と直交する方向に移動される空間部を備え、前記空間部の底部を形成する前記電子機器側コネクタの箇所には、前記移動される方向と直交する方向において互いに向かい合い前記移動される方向に延在する一対のコネクタ側ガイド面が設けられ、前記電子機器側コネクタの接片は、前記空間部の底部で前記一対のコネクタ側ガイドの間の箇所に、前記移動される方向と直交する方向に複数並べられて設けられていることを特徴とする。
また、本発明は、電源用または信号授受用の接片を有するアクセサリー側コネクタを備え電子機器の電子機器側コネクタに結合されるアクセサリーであって、前記アクセサリー側コネクタは、電子機器側コネクタが収容された電子機器の空間部に挿入され、かつ、前記挿入方向と直交する方向に移動される挿入部を備え、前記挿入部の先部の両側には、前記移動される方向に延在する一対のアクセサリー側ガイド面が設けられ、前記アクセサリー側コネクタの接片は、前記挿入部の先部で前記一対のアクセサリー側ガイド面の間の箇所に、前記移動される方向と直交する方向に複数並べられて設けられていることを特徴とする。
【発明の効果】
【０００５】
そのため、本発明によれば、アクセサリー側コネクタを電子機器側コネクタに装着する際に、アクセサリー側コネクタの一対のアクセサリーガイド面が電子機器側コネクタの一対のコネクタ側ガイド面に摺接されるので、アクセサリー側コネクタの一対のアクセサリーガイド面の間に設けられた複数の接片と、電子機器側コネクタの一対のコネクタ側ガイド面の間に設けられた複数の接片とが接触される際の各接片の配列方向における相対的な位置決めを高精度に行うことができる。
したがって、アクセサリー側コネクタの複数の接片と電子機器側コネクタの複数の接片との接続を確実に行いつつ、各接片の幅や接片間の間隔を縮小することができるので、これら接片の占有スペースを縮小でき、アクセサリー側コネクタと電子機器側コネクタの小型化を図る上で有利となり、ひいては、電子機器およびアクセサリーの小型化を図る上で有利となる。
【発明を実施するための最良の形態】
【０００６】
電子機器側コネクタあるいはアクセサリー側コネクタの小型化を図るという目的を、電子機器側コネクタに一対のコネクタ側ガイド面を設けるとともに、アクセサリー側コネクタに一対のコネクタ側ガイド面に摺動可能な一対のアクセサリー側ガイド面を設けることによって実現した。
【実施例１】
【０００７】
次に本発明の実施例１について図面を参照して説明する。
図１は実施例１の電子機器を前方から見た斜視図である。
図２は電子機器に設けられた電子機器側コネクタの斜視図であり、（Ａ）はシャッタが閉塞位置にある状態を示し、（Ｂ）はシャッタが開放位置にある状態を示す。
図３（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図４（Ｅ）は図３（Ｄ）のＥ矢視図、（Ｆ）は（Ｅ）のＦＦ線断面図である。
図５はアクセサリーの斜視図、図６はアクセサリーに設けられたアクセサリー側コネクタの斜視図、図７はアクセサリー側コネクタの平面図、図８は図７のＡ矢視図、図９は図７のＢ矢視図、図１０は図８のＣＣ線断面図である。
図１１は電子機器側コネクタにアクセサリー側コネクタが挿入された状態を示す断面図、図１２は電子機器側コネクタにアクセサリー側コネクタが装着された状態を示す断面図である。
【０００８】
まず、電子機器について説明する。
図１に示すように、本実施例において電子機器１００はビデオカメラであり、外装を構成する扁平な直方体状のケース１０２を有している。なお、本明細書において左右は、電子機器１００を前方から見た状態でいうものとし、また、光学系の光軸方向で被写体側を前方といい、撮像素子側を後方という。
ケース１０２の前面上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面上部には前記撮像素子によって撮像された被写体像を視認するための電子式ファインダー１０８が設けられている。
ケース１０２の右側面には前記撮像素子によって撮像された被写体像などを表示するためのディスプレイ１１０が開閉可能に設けられている。
ケース１０２の上面後部および左側面には、撮影スタートストップスイッチなどの操作スイッチ（不図示）や種々の設定を行うための設定スイッチ（不図示）が設けられている。
ケース１０２の上面前部には、平面視矩形状の凹部１１２が設けられ、該凹部１１２には、凹部１１２を開閉する蓋１１４が着脱可能に設けられている。凹部１１２の内部には電子機器側コネクタ１０が配設されており、電子機器コネクタ１０の非使用時には、凹部１１２に蓋１１４が装着されることで電子機器側コネクタ１０が外部に対して覆われ、電子機器コネクタ１０の使用時には、凹部１１２から蓋１１４が取り外されることで電子機器側コネクタ１０が外部に露出するように構成されている。
電子機器１００には、電子機器側コネクタ１０を介して後述するアクセサリー２００（図５参照）が装着される。
【０００９】
まず、電子機器側コネクタ１０について説明する。
図２（Ａ）、（Ｂ）に示すように、電子機器側コネクタ１０は、合成樹脂材料を用いて一体に型成形された内側部材１２と、鋼板が屈曲形成された外側部材１４とを備え、内側部材１２は外側部材１４の内側に嵌合固定されている。
電子機器側コネクタ１０は、電源用または信号授受用の接片１６と、ガイド溝１８が形成された係止板２０と、係止板２０の下面に臨むように設けられた空間部２２とを備えている。
外側部材１４は、底板部１４Ａと、底板部１４Ａの両側から起立する側板部１４Ｂと、側板部１４Ｂの上端から互いに向かい合う方向に屈曲形成された上板部１４Ｃとを備えており、係止板２０は上板部１４Ｃにより形成されている。
ガイド溝１８を構成する係止板２０の箇所で互いに対向する一対の縁部には、ガイド溝１８の延在方向に第１凹部２００２と、第１凸部２００４と、第２凹部２００６と、第２凸部２００８とがこれらの順番でそれぞれ対向して設けられ、ガイド溝１８の延在方向の両端は開放され、各第１凸部２００４の先端と各第２凸部２００８の先端はガイド溝１８の延在方向に直線状に延在している。第１凸部２００４は、図３（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、アクセサリー側コネクタ４０（図５参照）が挿入され前記挿入方向と直交する方向に移動されるスペースであり、係止板２０の下方で両側板部１４Ｂの内側で内側部材１２の上方の空間である。
なお、実施例の説明において便宜上、アクセサリー側コネクタ４０を電子機器側コネクタ１０に装着する際、アクセサリー側コネクタ４０をガイド溝１８を通して空間部２２に挿入する方向を挿入方向といい、アクセサリー側コネクタ４０を空間部２２に挿入したのちアクセサリー側コネクタ４０を空間部２２内で移動する方向、すなわちガイド溝１８の延在方向を装着方向といい、挿入方向の逆方向を取り出し方向といい、装着方向の逆方向を取り外し方向というものとする。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対のコネクタ側ガイド面２４が設けられている。この一対のコネクタ側ガイド面２４は、ガイド溝１８の延在方向と直交する方向、すなわちガイド溝１８の幅方向におけるアクセサリー側コネクタ４０の位置決めを行うものである。
【００１０】
電子機器側コネクタ１０の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦な中間面１２０７が設けられ、この中間面１２０７は、第１凹部２００２と第１凸部２００４の下方で両側板部１４Ｂに沿った内側部材１２の箇所に延在している。
本実施例では、アクセサリー側コネクタ４０が空間部２２に挿入される際に、アクセサリー側コネクタ４０の先端面５００６（図６参照）が中間面１２０７に当て付けられることで、空間部２２内においてアクセサリー側コネクタ４０の前記挿入方向の位置が規制されるように、言い換えると位置決めがなされるように構成されている。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。
【００１１】
電子機器側コネクタ１０の複数の接片１６について詳細に説明すると、図４（Ｆ）に示すように、各接片１６は、細幅で細長状の金属板材が屈曲されて構成され、それらの一端１６Ａが開口を介して接片取り付け面１２０６の上方に露出して配置され、図３（Ａ）に示すように、各接片１６の一端１６Ａが接片取り付け面１２０６上に露出する部分は長手方向が前記装着方向と一致して直線状に延在している。
電子機器側コネクタ１０の複数の接片１６の一端１６Ａは、図３（Ａ）に示すように、前記装着方向における端部がガイド溝１８の幅方向において直線上に位置するように並べられ、複数の接片１６のうちグランド電位に接続されるグランド接片１６０２は、その一端１６Ａが他の信号接片１６０４に比較して長手方向の寸法が大きく形成されており、グランド接片１６０２の一端１６Ａの前記取り外し方向における端部は他の信号接片１６０４の端部よりも突出している。
このような各接片１６０２，１６０４のレイアウト（配置）は、アクセサリー側コネクタ２０を電子機器側コネクタ１０に装着する際に、図６に示すように、アクセサリー側コネクタ４０の接片４８のうちグランド電位に接続されるグランド接片４８０２が、他の信号接片４８０４に先行して、電子機器側コネクタ１０のグランド接片１６０２に接続させ、アクセサリー２００と電子機器１００の基準電位を最初にグランド電位にさせることで静電ノイズの影響を受けにくくするとともに、アクセサリーおよび電子機器の動作の安定化を図る目的でなされている。
また、図４（Ｆ）に示すように、各接片１６の一端１６Ａを除く部分は内側部材１２内部に配設され、接片１６の他端１６Ｂは、内側部材１２の前記装着方向の端部に開口された孔部１２０８内に導かれている。
図３（Ｃ）、図４（Ｅ），（Ｆ）に示すように、内側部材１２の底部および外側部材１４の底板部１４Ａには、孔部１２０８に通じるように欠部１４０２が設けられ、図１２に示すように、電子機器１００に設けられたフレキシブル基板１５０の接続端１５２が欠部１４０２を介して孔部１２０８に挿入され孔部１２０８内で接続端１５２が各接片１６の他端１６Ｂに電気的に接続されるとともに、各他端１６Ｂの弾性により、接続端１５２が各他端１６Ｂと孔部１２０８を構成する壁面との間に挟持される。
これにより、フレキシブル基板１５０を介して電子機器１００内部の電気回路から各接片１６にアクセサリー２００を駆動するための電気信号が供給され、あるいは、各接片１６から電子機器１００内部の電気回路にアクセサリー２００からの電気信号が供給されるように構成されている。
この際、図１２に示すように、外側部材１４の底板部１４Ａが電子機器１００の凹部１１２の底面に取着される場合、外側部材１４に欠部１４０２が設けられているため、フレキシブル基板１５０を欠部１４０２内で屈曲させて電子機器１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方にフレキシブル基板１５０を引き回すためのスペースを確保する必要がなく電子機器側コネクタ１０を取り付けるために必要なスペースを縮小する上で有利となる。
なお、図４（Ｆ）において符号１２１０は外側部材１４の底面に突設された位置決め用のボスであり、このボス１２１０を電子機器１００の凹部１１２（図１参照）の底面に設けられた孔に係合させることでアクセサリー側コネクタ４０の位置決めを行うようになっている。
【００１２】
本実施例では、図２（Ｂ）に示すように、傾斜面１２０４は、アース電位に接続される接片１６０２に対応する傾斜面１２０４Ａと、他の接片１６０４に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａ(図３（Ａ）)と、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
傾斜面１２０４はアクセサリー側コネクタ４０の接片４８を円滑に案内する機能を有している。
なお、各接片１６が、傾斜面１２０４と接片取り付け面１２０６との境の部分から前記装着方向に間隔をおいた接片取り付け面１２０６の箇所に設けられているのは、アクセサリー側コネクタ４０を電子機器側コネクタ１０に挿入して前記装着方向に移動させる際、アクセサリー側コネクタ４０の接片４８が前記間隔分だけ接片取り付け面１２０６と摺接することにより、アクセサリー側コネクタ４０の接片４８が接片１６に対して安定した状態で接触させるためであり、したがって、接片取り付け面１２０６上において、傾斜面１２０４と接片取り付け面１２０６との境の部分から各接片１６の前記取り外し方向の端部までの箇所は、アクセサリー側コネクタ４０の接片４８の滑走面として機能する。
【００１３】
また、空間部２２の底部を形成する内側部材１２の箇所で一対のコネクタ側ガイド面２４の間の箇所に、具体的には中間面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図２（Ａ）、図１１）に付勢するスプリング（不図示）が設けられ、カバー２６は、前記装着方向への移動時にアクセサリー側コネクタ４０の挿入部５０の箇所である起立面６０（図６参照）に当接して挿入部５０により接片１６を開放する開放位置（図２（Ｂ）、図１２）に移動されるように構成されている。
また、前記取り外し方向における中間面１２０７の端部には、ガイド溝１８の幅方向に沿って当接面１２１０が延在形成されている。
本実施例では、アクセサリー側コネクタ４０が空間部２２に挿入される際に、アクセサリー側コネクタ４０の起立面６０（図６参照）が当接面１２１０に当て付けられることで、空間部２２内においてアクセサリー側コネクタ４０の前記装着方向の位置が規制されるように、言い換えると位置決めがなされるように構成されている。
【００１４】
次にアクセサリー２００について説明する。
図５に示すように、本実施例においてアクセサリー２００は電子機器１００に比較して外形が小さな小型カメラであり、この小型カメラは例えば電子機器１００の撮影と同時に該電子機器１００とは異なった方向の被写体や、電子機器１００とは異なった撮影倍率で電子機器１００と同じ被写体や異なった被写体の撮影を行うようにしたものである。
アクセサリー２００は、外装を構成する直方体状のケース２０２を有し、ケース２０２の前面には、撮影光学系２０４が組み込まれた鏡筒２０６が前方に臨んで設けられている。
ケース２０２の内部には、撮影光学系２０４によって導かれた被写体像を撮像する撮像素子、該撮像素子によって生成された撮像信号を処理して後述するアクセサリー側コネクタ２０へ出力する信号処理部などが収容されている。
ケース２０２の下面には、下方に突出する円柱状の連結部２０８がケース２０２と一体的に設けられている。連結部２０８の下部には該連結部２０８の中心軸を中心としてアクセサリー側コネクタ２０が回転可能に連結されている。なお、図中符号２１０は連結部２０８に対してアクセサリー側コネクタ４０の回転を固定する固定ねじである。
【００１５】
図６に示すように、本実施例では、アクセサリー側コネクタ４０は、連結部２０８の下部に連結される円柱状の軸部材４２を有し、軸部材４２の下端には断面形状が軸部材４２より小さい角柱状の挿入部５０が設けられている。
挿入部５０の先部の両側の側面は、ガイド溝１８に対して円滑に挿脱できるように、ガイド溝１８の最も内側の縁を構成する一対の第１凸部２００４の先端間の寸法および一対の第２凸部２００８の先端間の寸法よりも僅かに小さい寸法で形成されている。
挿入部５０の先部の両側の側面には、電子機器側コネクタ１０の第１凹部２００２から空間部２２に挿入され空間部２２内で前記装着方向に沿って移動可能な第１係止片５００２と、電子機器側コネクタ１０の第２凹部２００６から空間部２２に挿入され空間部２２内で前記装着方向に沿って移動可能な第２係止片５００４とが互いに間隔をおいて突出形成されている。
本実施例では、第１、第２係止片５００２，５００４の前記装着方向の延在長さは挿入部５０の前記装着方向の寸法の約１／３程度に形成されている。
【００１６】
図８〜図１０に示すように、挿入部５０の先部の両側の側面で第１係止片５００２と第２係止片５００４との間の箇所にはばね片５２がそれぞれ湾曲状に突出しており、ばね片５２は薄板状のばね鋼板が挿入部５０の内部に組み込まれることで配設されている。
ばね片５２は、第１係止片５００２および第２係止片５００４よりも挿入部５０の基部寄りに変位した箇所に設けられ、ばね片５２は、第１係止片５００２が第１凹部２００２を通って空間部２２に位置し第２係止片５００４が第２凹部２００４を通って空間部２２に位置した状態で第１凹部２００２内に位置し、空間部２２内で第１係止片５００２および第２係止片５００４が第１凸部２００４と第２凸部２００８の下面方向に移動する際に第１凸部２００４の先端に弾接し、かつ、第１係止片５００２および第２係止片５００４が第１凸部２００４と第２凸部２００８の下面に位置した状態で第２凹部２００８内に位置し、アクセサリー２００を装着操作するユーザーにクリック感を与えるように構成されている。本実施例では、空間部２２で第１係止片５００２および第２係止片５００４が前記装着方向に移動し第１凸部２００４と第２凸部２００８の下面に位置した状態で第１凸部２００４寄りの第２凹部２００６の端部に弾接し、この位置にアクセサリー２００を仮止めするように構成されている。
【００１７】
また、挿入部５０の先端には先端面５００６が設けられ、先端面５００６は挿入部５０が空間部２２に挿入される際に電子機器側コネクタ１０の中間面１２０７に当接し、空間部２２内においてアクセサリー側コネクタ４０の前記挿入方向の位置が規制されるように、言い換えると位置決めがなされるように構成され、本実施例では先端面５００６が特許請求の範囲の規制部を構成している。
本実施例では、両側の第１係止片５００２の基端から互いに対向するように一対のガイド壁５８が挿入部５０の長手方向（前記挿入方向）に突出形成され、一対のガイド壁５８の外側面は一対のコネクタ側ガイド面２４に摺動可能なアクセサリーガイド面５２として形成され、アクセサリーガイド面５２がコネクタ側ガイド面２４に接触することで、空間部２２内におけるガイド溝１８の幅方向におけるアクセサリー側コネクタ４０の位置決めが行われる。
また、本実施例では、アクセサリー側コネクタ４０の挿入部５０が電子機器側コネクタ１０の空間部２２に挿入される際に、空間部２２に対する挿入部５０の前記装着方向に沿った向きが逆向きであった場合には、アクセサリー側コネクタ４０の一対のガイド壁５８が電子機器側コネクタ１０の中間面１２０７に当接され、逆向きでの挿入が禁止されている。
挿入部５０の先端で一対のガイド壁５８の基部の間の箇所に先端面５００２と平行する平坦な接片取り付け面５６が設けられ、接片取り付け面５６は、先端面５００６よりも先端方向に変位しており、接片取り付け面５６と先端面５００６との間にはそれらの面５６、５００６に直交する起立面６０が形成されている。
アクセサリー側コネクタ４０の複数の接片４８は接片取り付け面５６に設けられ、一対のガイド壁５８方向に互いに間隔を置いて直線状に並べられて配置されている。
起立面６０は、挿入部５０が電子機器側コネクタ１０の空間部２２に挿入され前記装着方向へ移動される際にカバー２６の端面に当接するように構成されている。
また、挿入部５０が電子機器側コネクタ１０の空間部２２に挿入され空間部２２内で前記装着方向に移動されることで第１係止片５００２および第２係止片５００４が第１凸部２００４と第２凸部２００８の下面に位置し、この状態で、アクセサリー側コネクタ４０の複数の接片４８と電子機器側コネクタ１０の複数の接片１６が接触するように構成されている。
【００１８】
アクセサリー側コネクタ４０の複数の接片４８について詳細に説明すると、図１０に示すように、各接片４８は、細幅で細長状の金属板材が屈曲されて構成され、それらの一端４８Ａが接片取り付け面５６から下方に（挿入部５０の延在方向または前記挿入方向に）突出し、本実施例では、ガイド溝１８の幅方向における接片取り付け面５６の両側からそれぞれガイド壁５８が突出されており、複数の接片４８の一端４８Ａは両側のガイド壁５８の先端よりも挿入部５０の基端側に変位した箇所に位置している。具体的に説明すると、各接片４８は、その一端４８Ａが接片取り付け面５６の下方に向かって常時突出しており、一端４８Ａが上方に押圧された場合に一端４８Ａが接片取り付け面５６内に没入するように弾性変形可能に構成されている。
各接片４８は、グランド電位に接続されるグランド接片４８０２と、他の信号接片４８０４とを含み、グランド接片４８０２は電子機器側コネクタ１０のグランド接片１６０２に接続され、他の信号接片４８０４は電子機器側コネクタ１０の他の信号接片１６０２に接続されるように構成されている。
また、図１０に示すように、各接片４８の一端４８Ａを除く部分は軸部４６、４２の内部に配設され、接片４８の他端４８Ｂは、アクセサリー２００に設けられた配線部材２０１に電気的に接続される。
これにより、各接片４８および配線部材２０１を介してアクセサリー２００内部の電気回路にアクセサリー２００を駆動するための電気信号が供給され、あるいは、配線部材２０１を介してアクセサリー２００内部の電気回路からの電気信号が各接片４８に供給されるように構成されている。
【００１９】
また、軸部材４２の下部外周、言い換えると、挿入部５０の基部には不図示の雄ねじが形成され、この雄ねじに締め付けリング４４が螺合されている。
そして、締め付けリング４４は、第１係止片５００２が第１凹部２００２を通って空間部２２に位置し第２係止片５００４が第２凹部２００６を通って空間部２２に位置した状態で係止板２０上に位置し、空間部２２で第１係止片５００２および第２係止片５００４が前記装着方向に移動し第１凸部２００４と第２凸部２００８の下面に位置した状態で回転操作すると、第１凸部２００４と第２凸部２００８とを、第１係止片５００２および第２係止片５００４と協働して締め付け固定するように構成されている。
したがって、本実施例では、第１係止片５００２、第２係止片５００４、第１凸部２００４、第２凸部２００８、締め付けリング４４によって、アクセサリー側コネクタ４０を電子機器側コネクタ１０に固定する固定手段が構成されている。
【００２０】
次に電子機器側コネクタ１０およびアクセサリー側コネクタ４０の使用方法について説明する。
電子機器１００にアクセサリー２００を装着する場合には、蓋１１４を取り外して電子機器側コネクタ１０をケース１０２の外部に露出させ、アクセサリー側コネクタ４０の先端面５００６を電子機器側コネクタ１０の中間面１２０７に臨ませ、アクセサリー側コネクタ４０の第１係止片５００２を電子機器側コネクタ１０の第１凹部２００２に臨ませ、かつ、アクセサリー側コネクタ４０の第２係止片５００４を電子機器側コネクタ１０の第２凹部２００６に臨ませ、この状態でアクセサリー側コネクタ４０の挿入部５０を電子機器側コネクタ１０のガイド溝１８の間に挿入し、これによりアクセサリー側コネクタ４０の両側のアクセサリーガイド面５２がコネクタ側ガイド面２４に接触し、空間部２２内におけるガイド溝１８の幅方向におけるアクセサリー側コネクタ４０の位置決めが行われる。
このようなアクセサリー側コネクタ４０の挿入により、図１１に示すように、アクセサリー側コネクタ４０の第１係止片５００２は第１凹部２００２を通って空間部２２に位置し、第２係止片５００４は第２凹部２００６を通って空間部２２に位置し、また、アクセサリー側コネクタ４０の先端面５００６が電子機器側コネクタ１０の中間面１２０７に当接し、アクセサリー側コネクタ４０のばね片５２が第１凹部２００２内に位置する。
【００２１】
次いで、図１２に示すように、挿入部５０を前記装着方向に移動させると、ばね片５２は、挿入部５０の前記装着方向への移動に伴い第１凸部２００４の先端に弾接して挿入部５０の側面に僅かに没入され、第１凸部２００４の先端に弾接しつつ挿入部５０と一体に移動する。
やがて、第１係止片５００２および第２係止片５００４が第１凸部２００４と第２凸部２００８の下面に位置した状態でばね片５２は第２凹部２００６内に突出し、アクセサリー側コネクタ４０の起立面６０が電子機器側コネクタ１０の当接面１２１０に当接し、前記装着方向における位置決めがなされる。本実施例では、第１係止片５００２および第２係止片５００４が第１凸部２００４と第２凸部２００８の下面に位置した状態で、ばね片５２は、第１凸部２００４寄りの第２凹部２００６の端部に弾接する。
そして、挿入部５０の前記装着方向への移動により、アクセサリー側コネクタ４０の起立面６０により電子機器側コネクタ１０のカバー２６が前記開放位置に移動されるとともに、アクセサリー側コネクタ４０の各接片４８が傾斜面１２０４および接片取り付け面１２０６に摺接したのち電子機器側コネクタ１０の各接片１６にそれぞれ接続され電気的に導通する。
次いで締め付けリング４４を回動させることで、第１凸部２００４と第２凸部２００８とを、第１係止片５００２および第２係止片５００４と協働して締め付け固定し、アクセサリー２００が電子機器１００に装着される。
これによりアクセサリー２００による撮影と、電子機器１００による撮影とを同時に行うことが可能となる。なお、アクセサリー２００で生成された撮像信号はアクセサリー側コネクタ４０から電子機器側コネクタ１０を介して電子機器１００に伝達され、電子機器１００では伝達された前記撮像信号に対して必要な信号処理を行う。
【００２２】
電子機器１００からアクセサリー２００を取り外す場合には、締め付けリング４４を回動させることでアクセサリー側コネクタ４０と電子機器側コネクタ１０との固定を解除する。
次いでアクセサリー側コネクタ４０の挿入部５０を前記取り外し方向に動かすと、第１係止片５００２と第２係止片５００４が空間部２２に位置した状態で移動され、第１係止片５００２は第１凹部２００２の下方に位置し、第２係止片５００４は第２凹部２００４の下方に位置し、ばね片５２は、第２凹部から第１凸部の先端に弾接して挿入部５０の側面に僅かに没入され、第１凸部２００４の先端に弾接しつつ挿入部５０と一体に移動し、第１凹部２００２内に突出する。挿入部５０の前記取り出し方向への移動により、アクセサリー側コネクタ４０の各接片４８と電子機器側コネクタ１０の各接片１６とが離間され電気的な導通が解除され、カバー２６は開放位置から閉塞位置に復帰される。
この状態でアクセサリー側コネクタ４０の挿入部５０を前記取り出し方向に動かすと、アクセサリー側コネクタ４０の第１係止片５００２は第１凹部２００２を通り、第２係止片５００４は第２凹部２００６を通って空間部２２から上方に移動され、アクセサリー側コネクタ４０の挿入部５０が電子機器側コネクタ１０から離間され、アクセサリー２００が電子機器１００から取り外される。
【実施例２】
【００２３】
次に実施例２について説明する。
実施例２が実施例１と異なるのは、電子機器側コネクタ１０の空間部２２にアクセサリー側コネクタ４０を誤った方向から装着することを防止するための壁部を設けた点である。
図１３（Ａ）は実施例２の電子機器側コネクタ１０の斜視図であり、（Ａ）はシャッタが閉塞位置にある状態を示し、（Ｂ）はシャッタが開放位置にある状態を示す。
図１３（Ａ）、（Ｂ）に示すように、実施例１と同様に、底面１２０２におけるガイド溝１８の幅方向両側箇所に、コネクタ側ガイド面２４に沿って延在する凹部１２２０が設けられており、アクセサリー側コネクタ４０の挿入時にこの凹部１２２０にガイド壁５８の先端が収容される。実施例１では、この凹部１２２０が前記取り外し方向に開放状に形成されていたが、実施例２では凹部１２２０の前記取り外し方向の端部に壁部１２２２を設け、凹部１２２０の前記取り外し方向の端部を閉塞している。
この壁部１２２０の上面は底面１２０２と同一面上に位置している。
このような構成によれば、アクセサリー側コネクタ４０の挿入部５０を電子機器側コネクタ１０の前記取り外し方向に臨む箇所から前記装着方向に挿入しようとしても、挿入部５０のガイド壁５８が壁部１２２２に当接して前記装着方向への挿入が禁止される。
したがって、アクセサリー側コネクタ４０の挿入部５０を電子機器側コネクタ１０の前記取り外し方向に臨む箇所から前記装着方向に挿入するといった誤った操作を禁止することができる。
これにより、アクセサリー側コネクタ４０を電子機器側コネクタ１０に装着する際に、アクセサリー側コネクタ４０をガイド溝１８の間から空間部２２に挿入するという操作のみを許容することができるので、アクセサリー２００を電子機器１００に装着する際の操作方法を１つに限定でき使い勝手を向上させることができる。
【００２４】
本実施例によれば、アクセサリー側コネクタ４０を電子機器側コネクタ１０に装着する際に、アクセサリー側コネクタ４０の一対のアクセサリーガイド面５２が電子機器側コネクタ１０の一対のコネクタ側ガイド面２４に摺接されるので、アクセサリー側コネクタ４０の両側のアクセサリーガイド面５２の間に設けられた複数の接片４８と、電子機器側コネクタ１０のコネクタ側ガイド面２４の間に設けられた複数の接片１６とが接触される際の各接片の配列方向における相対的な位置決めを高精度に行う上で有利となる。
したがって、アクセサリー側コネクタ４０の複数の接片４８と電子機器側コネクタ１０の複数の接片１６との接続を確実に行いつつ、各接片の幅や接片間の間隔を縮小することができるので、これら接片の占有スペースを縮小でき、アクセサリー側コネクタ４０と電子機器側コネクタ１０の小型化を図る上で有利となり、ひいては、電子機器およびアクセサリーの小型化を図る上で有利となる。
また、アクセサリー側コネクタ４０は、複数の接片４８の一端４８Ａが両側のガイド壁５８の先端よりも挿入部５０の基端側に変位した箇所に位置しているので、一対のガイド壁５８の先端によって各接片４８にユーザーの指や物が接触することを防止でき、複数の接片４８の汚損や変形を防止する上で有利となっている。
また、アクセサリー側コネクタ４０の挿入部５０が電子機器側コネクタ１０の空間部２２に挿入される際に、空間部２２に対する挿入部５０の前記装着方向に沿った向きが逆向きであった場合には、アクセサリー側コネクタ４０の一対のガイド壁５８が電子機器側コネクタ１０の中間面１２０７に当接され、逆向きでの挿入が禁止されるので、アクセサリー側コネクタ４０が電子機器側コネクタ１０に対して逆向きで装着されることを確実に防止できる。
また、一対のコネクタ側ガイド面２４の間の箇所に、電子機器側コネクタ１０の複数の接片１６を覆うカバー２６を設け、カバー２６が挿入部５０の挿入方向への移動時に挿入部５０の箇所に当接して挿入部５０により電子機器側コネクタ１０の複数の接片１６を開放する開放位置に移動されるので、非使用時に接片１６をカバー２６で保護することができ接片１６の汚損や変形を防止することができる。
また、電子機器側コネクタ１０の底面１２０２の端部から次第に起立する傾斜面１２０４と、前記挿入方向における傾斜面１２０４の端部から底面１２０２と平行して延在する接片取り付け面１２０６とが設けられ、複数のアクセサリー側コネクタ４０の接片４８は取り付け面１２０６に設けたので、アクセサリー側コネクタ４０の接片４８を傾斜面１２０４から取り付け面１２０６にわたって円滑に案内させて電子機器側コネクタ１０の接片１６に確実に接触させる上で有利となる。
また、アクセサリー側コネクタ４０の複数の接片１６は、傾斜面１２０４と接片取り付け面１２０６との境の部分から前記挿入方向に間隔をおいた取り付け面１２０６の箇所に設けられているので、アクセサリー側コネクタ４０を電子機器側コネクタ１０に挿入して装着方向に移動させる際、アクセサリー側コネクタ４０の接片４８が前記間隔分だけ接片取り付け面１２０６と摺接することにより、アクセサリー側コネクタ４０の接片４８が接片１６に対して安定した状態で接触させる上で有利となる。
【００２５】
なお、本実施例では、アクセサリーシュー装置をビデオカメラに適用した場合について例示したが、本発明はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラやフィルム式カメラなどに適用可能であることはもちろんである。
【図面の簡単な説明】
【００２６】
【図１】実施例１の電子機器を前方から見た斜視図である。
【図２】電子機器に設けられた電子機器側コネクタの斜視図である。
【図３】電子機器側コネクタの説明図である。
【図４】電子機器側コネクタの説明図である。
【図５】アクセサリーの斜視図である。
【図６】アクセサリーに設けられたアクセサリー側コネクタの斜視図である。
【図７】アクセサリー側コネクタの平面図である。
【図８】図７のＡ矢視図である。
【図９】図７のＢ矢視図である。
【図１０】図８のＣＣ線断面図である。
【図１１】電子機器側コネクタにアクセサリー側コネクタが挿入された状態を示す断面図である。
【図１２】電子機器側コネクタにアクセサリー側コネクタが装着された状態を示す断面図である。
【図１３】実施例２の電子機器側コネクタ１０の斜視図である。
【符号の説明】
【００２７】
１００……電子機器、２００……アクセサリー、１０……電子機器側コネクタ、１６……接片、１８……ガイド溝、２０……係止板、２２……空間部、２４……コネクタ側ガイド面、４０……アクセサリー側コネクタ、４８……接片、５０……挿入部、５２……アクセサリー側ガイド面。
【図１】
2005315989.tif 000003
【図２】
2005315989.tif 000004
【図３】
2005315989.tif 000005
【図４】
2005315989.tif 000006
【図５】
2005315989.tif 000007
【図６】
2005315989.tif 000008
【図７】
2005315989.tif 000009
【図８】
2005315989.tif 000010
【図９】
2005315989.tif 000011
【図１０】
2005315989.tif 000012
【図１１】
2005315989.tif 000013
【図１２】
2005315989.tif 000014
【図１３】
2005315989.tif 000015